【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
結紮クリップであって、
概して、縦方向に延在し、近位部分における可撓性部分によって、相互に移動可能に連結される、近位部分を有する、第１の顎部および第２の顎部
を備え、
前記可撓性部分は、中間点の異なる側に第１の終点および第２の終点を有し、前記第１の顎部から角度を付けて延在する、第１の角度を付けて延在する要素を含み、前記可撓性部分は、前記角度を付けて延在する要素の終点間において可撓性であって、前記第１の顎部および第２の顎部が、前記中間点における可撓性の結果、相互に対して移動することが可能になるように構成される、クリップ。
【請求項２】
前記顎部のうちの少なくとも１つは、歯が支持される表面にある角度で延在する歯を含む、請求項１に記載のクリップ。
【請求項３】
前記顎部のうちの少なくとも１つは、相互に対して異なるその個別の支持表面にある角度で延在する歯を含む、請求項２に記載のクリップ。
【請求項４】
前記顎部のうちの少なくとも１つは、複数の歯を含み、前記顎部の一部分上の歯の第１の密度は、ゼロ以上であって、前記顎部の別の部分上の歯の第２の密度は、前記歯の第１の密度を上回る、請求項１に記載のクリップ。
【請求項５】
前記第１の顎部および第２の顎部は、歯を含み、前記第１の顎部は、前記第２の顎部上の歯の密度と異なる、歯の密度を有する、請求項１に記載のクリップ。
【請求項６】
前記第１の顎部および第２の顎部の一方は、上側顎部であって、前記上側顎部は、近位部分および遠位部分を含み、前記近位部分は、前記遠位部分上の歯の区画を上回る密度で歯を含む、請求項１に記載のクリップ。
【請求項７】
前記顎部のうちの少なくとも１つは、所与の長さの平滑表面を有する部分を含み、前記所与の長さは、前記クリップ上の隣接する歯間の最小間隔の少なくとも２倍を上回る、請求項１に記載のクリップ。
【請求項８】
前記第１の顎部および第２の顎部のうちの少なくとも１つは、側方延在部を含み、前記側方延在部は、少なくとも１つの歯を含む、請求項１に記載のクリップ。
【請求項９】
前記第１の顎部は、少なくとも第１の歯および第２の歯を含み、前記クリップが閉鎖されると、前記第２の顎部は、前記第１の顎部上の前記第１の歯と第２の歯との間に歯を有していない、請求項１に記載のクリップ。
【請求項１０】
前記可撓性部分は、前記可撓性部分を通して開口部を画定する壁を含む、請求項１に記載のクリップ。
【請求項１１】
前記開口部を画定する壁は、横方向を上回る距離だけ、縦方向に延在する、請求項１０に記載のクリップ。
【請求項１２】
前記可撓性部分は、前記可撓性部分内の異なる場所に、異なる可撓性を有するように形成される、請求項１０に記載のクリップ。
【請求項１３】
前記開口部は、前記クリップが開放構成にあるとき、ある弧にわたって延在する、請求項１０に記載のクリップ。
【請求項１４】
前記弧の中心における前記可撓性部分の可撓性は、前記弧の端部における前記可撓性部分の可撓性を上回る、請求項１３に記載のクリップ。
【請求項１５】
前記開口部は、片側は、第１の厚さを有する第１の壁によって形成され、別の側は、前記第１の厚さを上回る第２の厚さを有する第２の壁によって形成される、請求項１３に記載のクリップ。
【請求項１６】
前記可撓性部分は、前記可撓性部分と前記第１の顎部との間の第１の比較的に非可撓性の角度を付けて延在する要素によって、前記第１の顎部から離間される、請求項１に記載のクリップ。
【請求項１７】
前記可撓性部分は、前記可撓性部分と前記第２の顎部との間の第２の比較的に非可撓性の角度を付けて延在する要素によって、前記第２の顎部から離間される、請求項１６に記載のクリップ。
【請求項１８】
前記第１の角度を付けて延在する要素および第２の角度を付けて延在する要素は、前記クリップが開放された弛緩状態にあるとき、相互に約直角に延在する、請求項１７に記載のクリップ。
【請求項１９】
前記クリップは、枢動点を含み、それを中心として、前記第１の顎部は、前記第２の顎部に対して枢動し、前記枢動点は、前記クリップが開放構成にあるとき、前記可撓性部分を通した前記開口部内にある、請求項１０に記載のクリップ。
【請求項２０】
前記第１の顎部は、前記第２の顎部に対面する表面を有する、隅角部分を含み、隅角部分の表面は、湾曲される、請求項１に記載のクリップ。
【請求項２１】
前記隅角部分の表面は、部分的に、円形である、請求項２０に記載のクリップ。
【請求項２２】
前記隅角部分の表面は、偏心曲率を有する、請求項２０に記載のクリップ。
【請求項２３】
前記隅角部分は、前記湾曲表面上に複数の歯を含む、請求項２０に記載のクリップ。
【請求項２４】
前記湾曲表面上の歯のうちの少なくとも１つは、前記クリップが、開放され、弛緩状態にあるとき、少なくとも部分的に、前記可撓性部分に向かう方向に配向される、請求項２３に記載のクリップ。
【請求項２５】
結紮クリップであって、
個別の近位端部分および遠位端部分を有する、第１の顎部および第２の顎部と、
その近位端部分において、個別の第１の顎部および第２の顎部に連結される個別の第１の端部分および第２の端部分を有する、接合部部分であって、前記接合部部分は、画定された長さにわたって、前記第１の顎部および第２の顎部の一方にある角度で延在し、開口部を定義する壁をさらに含む、角度を付けて延在する要素を含み、前記開口部は、前記画定された長さ未満の距離にわたって延在する、接合部部分と
を備える、クリップ。
【請求項２６】
前記開口部は、弧状開口部である、請求項２５に記載のクリップ。
【請求項２７】
前記開口部は、前記第１の顎部および第２の顎部のうちの少なくとも１つからオフセットされる、請求項２５に記載のクリップ。
【請求項２８】
前記開口部は、前記第１の顎部および第２の顎部のそれぞれからオフセットされる、請求項２５に記載のクリップ。
【請求項２９】
穿刺要素を前記第１の顎部の遠位端部分にさらに含み、前記穿刺要素は、縦方向に延在する縁と、前記第２の顎部の遠位端部分上の縁受部とを含む、請求項１に記載のクリップ。
【請求項３０】
結紮クリップであって、
個別の遠位端部分を有し、相互に対する相対的移動のために、近位端部分に連結される、第１の顎部および第２の顎部と、
前記第１の顎部の遠位端部分における穿刺要素であって、近位に対面し、遊離端まで延在する、縦方向に延在する縁を有する、穿刺要素と、
前記第２の顎部から接線表面に側方外向きに延在し、遠位に対面するチャネルをさらに含む、前記第２の顎部の遠位端部分における縁受部であって、前記チャネルおよび前記縁は、前記クリップが、閉鎖構成にあるとき、前記縁は、前記チャネル内に位置付けられ、前記遊離端は、前記接線表面を越えて延在しないように構成される、縁受部と
を備える、クリップ。
【請求項３１】
前記縁受部は、溝を含む、請求項３０に記載のクリップ。
【請求項３２】
前記縁受部は、前記穿刺要素縁の長さ以上の長さを含む、請求項３０に記載のクリップ。
【請求項３３】
前記穿刺要素の縦方向に延在する縁を前記縁受部内に誘導するための溝をさらに含む、請求項３０に記載のクリップ。
【請求項３４】
前記第２の顎部の遠位端における前記第２の顎部上に先鋭歯をさらに含む、請求項３０に記載のクリップ。
【請求項３５】
前記穿刺要素は、対向面の含有角度を形成する、第１の側および第２の側を含み、前記角度は、１５０°以下である、請求項３０に記載のクリップ。
【請求項３６】
前記穿刺要素は、硬度少なくとも５０  Ｓｈｏｒｅ  Ｄを有する、請求項３０に記載のクリップ。
【請求項３７】
結紮クリップであって、
第１の顎部および第２の顎部であって、前記クリップが開放構成にある場合、前記第１の顎部の近位部分が、離間されるが、前記第１の顎部の遠位部分より前記第２の顎部により近接する、第１の顎部および第２の顎部
を含み、
前記第１の顎部および第２の顎部に印加された力は、前記第１の顎部の近位部分が、前記第２の顎部に隣接し、前記第１の顎部の遠位部分が、前記第２の顎部に隣接しないように、前記第１の顎部および第２の顎部をともにより近づけ、
前記第１の顎部の近位部分は、前記第２の顎部に沿って近位に移動させられるように構成されている、クリップ。
【請求項３８】
前記第１の顎部の遠位部分は、前記第２の顎部の遠位部分と接触するように移動させられるように構成されている、請求項３７に記載のクリップ。
【請求項３９】
前記第１の顎部の近位部分は、任意の歯を伴わない前記第２の顎部の面積に沿った前記第２の顎部に沿って近位に移動させられるように構成されている、請求項３７に記載のクリップ。
【請求項４０】
組織の一部は、前記第１の顎部の近位部分と第２の顎部との間に位置付けられ、前記組織は、近位に移動させられる、請求項３７に記載のクリップ。
【請求項４１】
前記組織は、前記第１の顎部の近位部分を使用して、近位に移動させられる、請求項４０に記載のクリップ。
【請求項４２】
前記組織の部分は、前記第１の顎部上の歯と接触させられる、請求項４０に記載のクリップ。
【請求項４３】
前記第１の顎部と第２の顎部との間の間隔は、前記クリップが空であるとき、前記クリップの閉鎖の完了に先立って、最小まで低減される、請求項３７に記載のクリップ。
【請求項４４】
ヒンジ部分は、前記第１の顎部の遠位部分が、前記第２の顎部の遠位部分に沿って移動するにつれて、偏向させられるように構成されている、請求項３７に記載のクリップ。
【請求項４５】
前記ヒンジ部分は、遠位に偏向させられる、請求項４４に記載のクリップ。
【請求項４６】
前記第１の顎部の近位部分は、前記第２の顎部に沿って、ヒンジ部分に隣接する面積まで組織を移動させるように近位に移動させられるように構成されている、請求項３７に記載のクリップ。
【請求項４７】
前記第１の顎部の近位部分は、前記第２の顎部から離れる方向に、組織を移動させるように近位に移動させられるように構成されている、請求項３７に記載のクリップ。
【手続補正２】
【補正対象書類名】明細書
【補正対象項目名】００１７
【補正方法】変更
【補正の内容】
【００１７】
本発明のこれらおよび他の目的、利点、ならびに特徴は、以下により完全に説明されるように、本開示の詳細の熟読に応じて、当業者に明白となるであろう。
本明細書は、例えば、以下を提供する。
（項目１）
結紮クリップであって、
概して、縦方向に延在し、近位部分における可撓性部分によって、相互に移動可能に連結される、近位部分を有する、第１および第２の顎部
を備え、
上記可撓性部分は、中間点の異なる側に第１および第２の終点を有し、上記第１の顎部から角度を付けて延在する、第１の角度を付けて延在する要素を含み、上記可撓性部分は、上記角度を付けて延在する要素の終点間において可撓性であって、上記第１および第２の顎部が、上記中間点における可撓性の結果、相互に対して移動することが可能になるように構成される、クリップ。
（項目２）
上記顎部のうちの少なくとも１つは、歯が支持される表面にある角度で延在する歯を含む、項目１に記載のクリップ。
（項目３）
上記顎部のうちの少なくとも１つは、相互に対して異なるその個別の支持表面にある角度で延在する歯を含む、項目２に記載のクリップ。
（項目４）
上記顎部のうちの少なくとも１つは、複数の歯を含み、上記顎部の一部分上の歯の第１の密度は、ゼロ以上であって、上記顎部の別の部分上の歯の第２の密度は、上記歯の第１の密度を上回る、項目１に記載のクリップ。
（項目５）
上記第１および第２の顎部は、歯を含み、上記第１の顎部は、上記第２の顎部上の歯の密度と異なる、歯の密度を有する、項目１に記載のクリップ。
（項目６）
上記第１および第２の顎部の一方は、上側顎部であって、上記上側顎部は、近位部分および遠位部分を含み、上記近位部分は、上記遠位部分上の歯の区画を上回る密度で歯を含む、項目１に記載のクリップ。
（項目７）
上記顎部のうちの少なくとも１つは、所与の長さの平滑表面を有する部分を含み、上記所与の長さは、上記クリップ上の隣接する歯間の最小間隔の少なくとも２倍を上回る、項目１に記載のクリップ。
（項目８）
上記第１および第２の顎部のうちの少なくとも１つは、側方延在部を含み、上記側方延在部は、少なくとも１つの歯を含む、項目１に記載のクリップ。
（項目９）
上記第１の顎部は、少なくとも第１および第２の歯を含み、上記クリップが閉鎖されると、上記第２の顎部は、上記第１の顎部上の上記第１と第２の歯との間に歯を有していない、項目１に記載のクリップ。
（項目１０）
上記可撓性部分は、上記可撓性部分を通して開口部を画定する壁を含む、項目１に記載のクリップ。
（項目１１）
上記開口部を画定する壁は、横方向を上回る距離だけ、縦方向に延在する、項目１０に記載のクリップ。
（項目１２）
上記可撓性部分は、上記可撓性部分内の異なる場所に、異なる可撓性を有するように形成される、項目１０に記載のクリップ。
（項目１３）
上記開口部は、上記クリップが開放構成にあるとき、ある弧にわたって延在する、項目１０に記載のクリップ。
（項目１４）
上記弧の中心における上記可撓性部分の可撓性は、上記弧の端部における上記可撓性部分の可撓性を上回る、項目１３に記載のクリップ。
（項目１５）
上記開口部は、片側は、第１の厚さを有する第１の壁によって形成され、別の側は、上記第１の厚さを上回る第２の厚さを有する第２の壁によって形成される、項目１３に記載のクリップ。
（項目１６）
上記可撓性部分は、上記可撓性部分と上記第１の顎部との間の第１の比較的に非可撓性の角度を付けて延在する要素によって、上記第１の顎部から離間される、項目１に記載のクリップ。
（項目１７）
上記可撓性部分は、上記可撓性部分と上記第２の顎部との間の第２の比較的に非可撓性の角度を付けて延在する要素によって、上記第２の顎部から離間される、項目１６に記載のクリップ。
（項目１８）
上記第１および第２の角度を付けて延在する要素は、上記クリップが開放された弛緩状態にあるとき、相互に約直角に延在する、項目１７に記載のクリップ。
（項目１９）
上記クリップは、枢動点を含み、それを中心として、上記第１の顎部は、上記第２の顎部に対して枢動し、上記枢動点は、上記クリップが開放構成にあるとき、上記可撓性部分を通した上記開口部内にある、項目１０に記載のクリップ。
（項目２０）
上記第１の顎部は、上記第２の顎部に対面する表面を有する、隅角部分を含み、隅角部分の表面は、湾曲される、項目１に記載のクリップ。
（項目２１）
上記隅角部分の表面は、部分的に、円形である、項目２０に記載のクリップ。
（項目２２）
上記隅角部分の表面は、偏心曲率を有する、項目２０に記載のクリップ。
（項目２３）
上記隅角部分は、上記湾曲表面上に複数の歯を含む、項目２０に記載のクリップ。
（項目２４）
上記湾曲表面上の歯のうちの少なくとも１つは、上記クリップが、開放され、弛緩状態にあるとき、少なくとも部分的に、上記可撓性部分に向かう方向に配向される、項目２３に記載のクリップ。
（項目２５）
結紮クリップであって、
個別の近位および遠位端部分を有する、第１および第２の顎部と、
その近位端部分において、個別の第１および第２の顎部に連結される個別の第１および第２の端部分を有する、接合部部分であって、上記接合部部分は、画定された長さにわたって、上記第１および第２の顎部の一方にある角度で延在し、開口部を定義する壁をさらに含む、角度を付けて延在する要素を含み、上記開口部は、上記画定された長さ未満の距離にわたって延在する、接合部部分と
を備える、クリップ。
（項目２６）
上記開口部は、弧状開口部である、項目２５に記載のクリップ。
（項目２７）
上記開口部は、上記第１および第２の顎部のうちの少なくとも１つからオフセットされる、項目２５に記載のクリップ。
（項目２８）
上記開口部は、上記第１および第２の顎部のそれぞれからオフセットされる、項目２５に記載のクリップ。
（項目２９）
穿刺要素を上記第１の顎部の遠位端部分にさらに含み、上記穿刺要素は、縦方向に延在する縁と、上記第２の顎部の遠位端部分上の縁受部とを含む、項目１に記載のクリップ。
（項目３０）
結紮クリップであって、
個別の遠位端部分を有し、相互に対する相対的移動のために、近位端部分に連結される、第１および第２の顎部と、
上記第１の顎部の遠位端部分における穿刺要素であって、近位に対面し、遊離端まで延在する、縦方向に延在する縁を有する、穿刺要素と、
上記第２の顎部から接線表面に側方外向きに延在し、遠位に対面するチャネルをさらに含む、上記第２の顎部の遠位端部分における縁受部であって、上記チャネルおよび上記縁は、上記クリップが、閉鎖構成にあるとき、上記縁は、上記チャネル内に位置付けられ、上記遊離端は、上記接線表面を越えて延在しないように構成される、縁受部と
を備える、クリップ。
（項目３１）
上記縁受部は、溝を含む、項目３０に記載のクリップ。
（項目３２）
上記縁受部は、上記穿刺要素縁の長さ以上の長さを含む、項目３０に記載のクリップ。
（項目３３）
上記穿刺要素の縦方向に延在する縁を上記縁受部内に誘導するための溝をさらに含む、項目３０に記載のクリップ。
（項目３４）
上記第２の顎部の遠位端における上記第２の顎部上に先鋭歯をさらに含む、項目３０に記載のクリップ。
（項目３５）
上記穿刺要素は、対向面の含有角度を形成する、第１および第２の側を含み、上記角度は、１５０°以下である、項目３０に記載のクリップ。
（項目３６）
上記穿刺要素は、硬度少なくとも５０  Ｓｈｏｒｅ  Ｄを有する、項目３０に記載のクリップ。
（項目３７）
結紮クリップを使用する方法であって、
顎部が、開放構成にあって、上記第１の顎部の近位部分が、離間されるが、上記第１の顎部の遠位部分より上記第２の顎部により近接するように、第１および第２の顎部を有する結紮クリップを位置付けるステップと、
力を上記第１および第２の顎部に印加し、上記第１の顎部の近位部分が、上記第２の顎部に隣接し、上記第１の顎部の遠位部分が、上記第２の顎部に隣接しないように、上記第１および第２の顎部をともにより近づけるステップと、
上記第２の顎部に沿って、上記第１の顎部の近位部分を近位に移動させるステップと
を含む、方法。
（項目３８）
上記第２の顎部の遠位部分と接触するように、上記第１の顎部の遠位部分を移動させるステップをさらに含む、項目３７に記載の方法。
（項目３９）
上記第１の顎部の近位部分を近位に移動させるステップは、任意の歯を伴わない上記第２の顎部の面積に沿った上記第２の顎部に沿って上記第１の顎部の近位部分を近位に移動させるステップを含む、項目３７に記載の方法
（項目４０）
上記第１の顎部と第２の顎部の近位部分との間に組織の一部を位置付け、上記組織を近位に移動させるステップをさらに含む、項目３７に記載の方法。
（項目４１）
上記組織を近位に移動させるステップは、上記第１の顎部の近位部分を使用して、上記組織を近位に移動させるステップを含む、項目４０に記載の方法。
（項目４２）
上記組織の部分を上記第１の顎部上の歯と接触させるステップをさらに含む、項目４０に記載の方法。
（項目４３）
上記第１と第２の顎部との間の間隔は、上記クリップが空であるとき、上記クリップの閉鎖の完了に先立って、最小まで低減される、項目３７に記載の方法。
（項目４４）
上記第１の顎部の遠位部分が、上記第２の顎部の遠位部分に沿って移動するにつれて、ヒンジ部分を偏向させるステップをさらに含む、項目３７に記載の方法。
（項目４５）
上記ヒンジ部分を遠位に偏向させるステップをさらに含む、項目４４に記載の方法。
（項目４６）
上記第１の顎部の近位部分を近位に移動させ、上記第２の顎部に沿って、ヒンジ部分に隣接する面積まで組織を移動させるステップをさらに含む、項目３７に記載の方法。
（項目４７）
上記第１の顎部の近位部分を近位に移動させ、上記第２の顎部から離れる方向に、組織を移動させるステップをさらに含む、項目３７に記載の方法。